(57)【特許請求の範囲】
【請求項１】
アクセスポイントが実行する通信のための方法であって、
ユーザ端末での少なくとも１つの追加されたデータフローに応答して前記アクセスポイントに関連するネットワークのネットワーク性能情報（ＮＰＩ）を判断することと、
前記ＮＰＩを前記ユーザ端末と共有することとを備え、
前記ＮＰＩが、前記アクセスポイントに関連する前記ネットワークを介して、前記ユーザ端末に関連する通信の性能を前記ユーザ端末が判断するための情報を備え、前記共有することは、前記少なくとも１つの追加されたデータフローの追加に応答して実行される、方法。
【請求項２】
前記ＮＰＩが、前記複数のネットワークのうちの少なくとも１つのネットワーク上の通信リソースに対して、待ち時間情報、ビットレート情報、電流負荷情報、総容量情報、残余容量情報、またはパケットロスレート情報のうちの少なくとも１つを備える、請求項１に記載の方法。
【請求項３】
前記通信リソースがバックホールまたは無線アクセスネットワークのうちの少なくとも１つを備える、請求項２に記載の方法。
【請求項４】
前記ＮＰＩを判断することが、前記ＮＰＩを推定することを備える、請求項１に記載の方法。
【請求項５】
前記ＮＰＩを前記共有することが、前記ＮＰＩを１つまたは複数のネットワークノードにブロードキャストすることを備える、請求項１に記載の方法。
【請求項６】
前記ユーザ端末をサービスすることをさらに備える、請求項５に記載の方法。
【請求項７】
前記ブロードキャストが所定の時間間隔で発生する、請求項５に記載の方法。
【請求項８】
前記ＮＰＩが、１つまたは複数のネットワークノードに関連するユーザ端末に転送される、請求項１に記載の方法。
【請求項９】
前記ＮＰＩを共有することが、
前記ユーザ端末から前記ＮＰＩを求める要求を受信することと、
前記要求からの応答として前記ＮＰＩを送信することとを備える、請求項１に記載の方法。
【請求項１０】
前記ＮＰＩを共有することが、
前記ＮＰＩに基づいて情報要素を生成することと、
前記情報要素をフレーム内に挿入することと、
前記フレームを送信することとを備える、請求項１に記載の方法。
【請求項１１】
アクセスポイントが実行するワイヤレス通信のための方法であって、
ユーザ端末での少なくとも１つの追加されたデータフローに応答して複数のネットワーク間のネットワーク性能を管理するパラメータのセットを確定することと、
前記少なくとも１つの追加されたデータフローの追加に応答して前記パラメータの前記セットを前記ユーザ端末と共有することとを備え、
パラメータの前記セットが、前記複数のネットワークの各ネットワークを介してネットワークノードに関連する通信の性能を前記ネットワークノードが判断するための情報を備える、方法。
【請求項１２】
前記ネットワークノードがユーザ端末をサービスする、請求項１１に記載の方法。
【請求項１３】
パラメータの前記セットが、
ノードＢにおけるノイズ指数か、
前記ノードＢにおけるターゲットのライズオーバサーマルか、
高速ダウンリンクパケットアクセスチャネル上のＯＶＳＦコードの平均使用か、
６４  ＱＡＭ変調が前記ノードＢにおいてサポートされるかどうかのインジケータか、
ＭＩＭＯが前記ノードＢにおいてサポートされるかどうかのインジケータか、
マルチキャリアが前記ノードＢにおいてサポートされるかどうかのインジケータか、
アップリンクおよびダウンリンクに対して前記ノードＢによってサポートされる最大トランスポートブロックサイズか、
拡張されたノードＢに対する平均時間／周波数リソース利用量か、または
前記拡張されたノードＢに対して送信間隔の時間中にそれが送信／受信できる最大のビット数のうちの１つを備える、請求項１１に記載の方法。
【請求項１４】
ワイヤレス通信のための装置であって、
ユーザ端末での少なくとも１つの追加されたデータフローに応答してアクセスポイントに関連するネットワークのネットワーク性能情報（ＮＰＩ）を判断するための手段と、
前記少なくとも１つの追加されたデータフローの追加に応答して前記ＮＰＩを前記ユーザ端末と共有するための手段とを備え、
前記ＮＰＩが、前記アクセスポイントに関連する前記ネットワークを介して、前記ユーザ端末に関連する通信の性能を前記ユーザ端末が判断するための情報を備える、装置。
【請求項１５】
前記ＮＰＩが、前記複数のネットワークのうちの少なくとも１つのネットワーク上の通信リソースに対して、待ち時間情報、ビットレート情報、電流負荷情報、総容量情報、残余容量情報、またはパケットロスレート情報のうちの少なくとも１つを備える、請求項１４に記載の装置。
【請求項１６】
前記通信リソースがバックホールまたは無線アクセスネットワークのうちの少なくとも１つを備える、請求項１５に記載の装置。
【請求項１７】
前記ＮＰＩを判断するための前記手段が、前記ＮＰＩを推定することを備える、請求項１４に記載の装置。
【請求項１８】
前記ＮＰＩを共有するための前記手段が、前記ＮＰＩを１つまたは複数のネットワークノードにブロードキャストするための手段を備える、請求項１４に記載の装置。
【請求項１９】
前記ユーザ端末をサービスするための手段をさらに備える、請求項１８に記載の装置。
【請求項２０】
前記ブロードキャストが所定の時間間隔で発生する、請求項１８に記載の装置。
【請求項２１】
前記ＮＰＩが、１つまたは複数のネットワークノードに関連するユーザ端末に転送される、請求項１４に記載の装置。
【請求項２２】
前記ＮＰＩを共有するための前記手段が、
前記ユーザ端末から前記ＮＰＩを求める要求を受信するための手段と、
前記要求からの応答として前記ＮＰＩを送信するための手段とを備える、請求項１４に記載の装置。
【請求項２３】
前記ＮＰＩを共有するための前記手段が、
前記ＮＰＩに基づいて情報要素を生成するための手段と、
前記情報要素をフレーム内に挿入するための手段と、
前記フレームを送信するための手段とを備える、請求項１４に記載の装置。
【請求項２４】
ワイヤレス通信のための装置であって、
ユーザ端末での少なくとも１つの追加されたデータフローに応答して複数のネットワーク間のネットワーク性能を管理するパラメータのセットを確定するための手段と、
前記少なくとも１つの追加されたデータフローの追加に応答してパラメータの前記セットを前記ユーザ端末と共有するための手段とを備え、
パラメータの前記セットが、前記複数のネットワークの各ネットワークを介してネットワークノードに関連する通信の性能を前記ネットワークノードが判断するための情報を備える、装置。
【請求項２５】
前記ネットワークノードがユーザ端末をサービスする、請求項２４に記載の装置。
【請求項２６】
パラメータの前記セットが、
ノードＢにおけるノイズ指数か、
前記ノードＢにおけるターゲットのライズオーバサーマルか、
高速ダウンリンクパケットアクセスチャネル上のＯＶＳＦコードの平均使用か、
６４  ＱＡＭ変調が前記ノードＢにおいてサポートされるかどうかのインジケータか、
ＭＩＭＯが前記ノードＢにおいてサポートされるかどうかのインジケータか、
マルチキャリアが前記ノードＢにおいてサポートされるかどうかのインジケータか、
アップリンクおよびダウンリンクに対して前記ノードＢによってサポートされる最大トランスポートブロックサイズか、
拡張されたノードＢに対する平均時間／周波数リソース利用量か、または
前記拡張されたノードＢに対して送信間隔の時間中にそれが送信／受信できる最大のビット数のうちの１つを備える、請求項２４に記載の装置。
【請求項２７】
ワイヤレス通信のためのコンピュータ可読記録媒体であって、
ユーザ端末での少なくとも１つの追加されたデータフローに応答してアクセスポイントに関連するネットワークのネットワーク性能情報（ＮＰＩ）を判断することと、
前記少なくとも１つの追加されたデータフローの追加に応答して前記ＮＰＩを前記ユーザ端末と共有することとが実行可能な命令を備え、
前記ＮＰＩが、前記アクセスポイントに関連する前記ネットワークを介して、前記ユーザ端末に関連する通信の性能を前記ユーザ端末が判断するための情報を備える、コンピュータ可読記録媒体。
【請求項２８】
前記ＮＰＩが、前記複数のネットワークのうちの少なくとも１つのネットワーク上の通信リソースに対して、待ち時間情報、ビットレート情報、電流負荷情報、総容量情報、残余容量情報、またはパケットロスレート情報のうちの少なくとも１つを備える、請求項２７に記載のコンピュータ可読記録媒体。
【請求項２９】
前記通信リソースがバックホールまたは無線アクセスネットワークのうちの少なくとも１つを備える、請求項２８に記載のコンピュータ可読記録媒体。
【請求項３０】
前記ＮＰＩを判断することが実行可能な前記命令が、前記ＮＰＩを推定することが実行可能な命令を備える、請求項２７に記載のコンピュータ可読記録媒体。
【請求項３１】
前記ＮＰＩを１つまたは複数のネットワークノードにブロードキャストすることが実行可能な命令をさらに備える、請求項２７に記載のコンピュータ可読記録媒体。
【請求項３２】
前記アクセスポイントが前記ユーザ端末をサービスする、請求項３１に記載のコンピュータ可読記録媒体。
【請求項３３】
前記ブロードキャストが所定の時間間隔で発生する、請求項３１に記載のコンピュータ可読記録媒体。
【請求項３４】
前記ＮＰＩが、１つまたは複数のネットワークノードに関連するユーザ端末に転送される、請求項２７に記載のコンピュータ可読記録媒体。
【請求項３５】
前記ＮＰＩを共有することが実行可能な前記命令が、
前記ユーザ端末から前記ＮＰＩを求める要求を受信することと、
前記要求からの応答として前記ＮＰＩを送信することと、が実行可能な命令を備える、請求項２７に記載のコンピュータ可読記録媒体。
【請求項３６】
前記ＮＰＩを共有することが実行可能な前記命令が、
前記ＮＰＩに基づいて情報要素を生成することと、
前記情報要素をフレーム内に挿入することと、
前記フレームを送信することと、が実行可能な命令を備える、請求項２７に記載のコンピュータ可読記録媒体。
【請求項３７】
ワイヤレス通信のためのコンピュータ可読記録媒体であって、
ユーザ端末での少なくとも１つの追加されたデータフローに応答して複数のネットワーク間のネットワーク性能を管理するパラメータのセットを確定することと、
前記少なくとも１つの追加されたデータフローの追加に応答してパラメータの前記セットを前記ユーザ端末と共有することとが実行可能な命令を備え、
パラメータの前記セットが、前記複数のネットワークの各ネットワークを介して、ネットワークノードに関連する通信の性能を前記ネットワークノードが判断するための情報を備える、コンピュータ可読記録媒体。
【請求項３８】
前記ネットワークノードがユーザ端末をサービスする、請求項３７に記載のコンピュータ可読記録媒体。
【請求項３９】
パラメータの前記セットが、
ノードＢにおけるノイズ指数か、
前記ノードＢにおけるターゲットのライズオーバサーマルか、
高速ダウンリンクパケットアクセスチャネル上のＯＶＳＦコードの平均使用か、
６４  ＱＡＭ変調が前記ノードＢにおいてサポートされるかどうかのインジケータか、
ＭＩＭＯが前記ノードＢにおいてサポートされるかどうかのインジケータか、
マルチキャリアが前記ノードＢにおいてサポートされるかどうかのインジケータか、
アップリンクおよびダウンリンクに対して前記ノードＢによってサポートされる最大トランスポートブロックサイズか、
拡張されたノードＢに対する平均時間／周波数リソース利用量か、または
前記拡張されたノードＢに対して送信間隔の時間中にそれが送信／受信できる最大のビット数のうちの１つを備える、請求項３７に記載のコンピュータ可読記録媒体。
【請求項４０】
ワイヤレス通信のための装置であって、
アンテナと、
前記アンテナに結合されたプロセッサとを備え、前記プロセッサが、
ユーザ端末での少なくとも１つの追加されたデータフローに応答してアクセスポイントに関連するネットワークのネットワーク性能情報（ＮＰＩ）を判断し、
前記少なくとも１つの追加されたデータフローの追加に応答して前記ＮＰＩを１前記ユーザ端末と共有するように構成され、
前記ＮＰＩが、前記アクセスポイントに関連する前記ネットワークを介して、前記ユーザ端末に関連する通信の性能を前記ユーザ端末が判断するための情報を備える、装置。
【請求項４１】
前記ＮＰＩが、前記複数のネットワークのうちの少なくとも１つのネットワーク上の通信リソースに対して、待ち時間情報、ビットレート情報、電流負荷情報、総容量情報、残余容量情報、またはパケットロスレート情報のうちの少なくとも１つを備える、請求項４０に記載の装置。
【請求項４２】
前記通信リソースがバックホールまたは無線アクセスネットワークのうちの少なくとも１つを備える、請求項４１に記載の装置。
【請求項４３】
前記プロセッサが、前記ＮＰＩを推定するようにさらに構成される、請求項４０に記載の装置。
【請求項４４】
前記プロセッサが、前記ＮＰＩを１つまたは複数のネットワークノードにブロードキャストするようにさらに構成される、請求項４０に記載の装置。
【請求項４５】
前記プロセッサが前記ユーザ端末をサービスするようにさらに構成される、請求項４４に記載の装置。
【請求項４６】
前記ブロードキャストが所定の時間間隔で発生する、請求項４４に記載の装置。
【請求項４７】
前記ＮＰＩが、１つまたは複数のネットワークノードに関連するユーザ端末に転送される、請求項４０に記載の装置。
【請求項４８】
前記プロセッサが、
前記ユーザ端末から前記ＮＰＩを求める要求を受信し、
前記要求からの応答として前記ＮＰＩを送信するようにさらに構成される、請求項４０に記載の装置。
【請求項４９】
プロセッサが、
前記ＮＰＩに基づいて情報要素を生成し、
前記情報要素をフレーム内に挿入し、
前記フレームを送信するようにさらに構成される、請求項４０に記載の装置。
【請求項５０】
ワイヤレス通信のための装置であって、
アンテナと、
前記アンテナに結合されたプロセッサとを備え、前記プロセッサが、
ユーザ端末での少なくとも１つの追加されたデータフローに応答して複数のネットワーク間のネットワーク性能を管理するパラメータのセットを確定し、
前記少なくとも１つの追加されたデータフローの追加に応答してパラメータの前記セットを前記ユーザ端末と共有するように構成され、
パラメータの前記セットが、前記複数のネットワークの各ネットワークを介してネットワークノードに関連する通信の性能を前記ネットワークノードが判断するための情報を備える、装置。
【請求項５１】
前記ネットワークノードがユーザ端末をサービスする、請求項５０に記載の装置。
【請求項５２】
パラメータの前記セットが、
ノードＢにおけるノイズ指数か、
前記ノードＢにおけるターゲットのライズオーバサーマルか、
高速ダウンリンクパケットアクセスチャネル上のＯＶＳＦコードの平均使用か、
６４  ＱＡＭ変調が前記ノードＢにおいてサポートされるかどうかのインジケータか、
ＭＩＭＯが前記ノードＢにおいてサポートされるかどうかのインジケータか、
マルチキャリアが前記ノードＢにおいてサポートされるかどうかのインジケータか、
アップリンクおよびダウンリンクに対して前記ノードＢによってサポートされる最大トランスポートブロックサイズか、
拡張されたノードＢに対する平均時間／周波数リソース利用量か、または
前記拡張されたノードＢに対して送信間隔の時間中にそれが送信／受信できる最大のビット数のうちの１つを備える、請求項５０に記載の装置。
【発明の詳細な説明】
【技術分野】
【０００１】
関連出願の相互参照
本出願は、２０１０年１１月１２日に出願された「ＭＥＴＨＯＤ  ＡＮＤ  ＡＰＰＡＲＡＴＵＳ  ＦＯＲ  ＲＥＱＵＥＳＴＩＮＧ  ＡＮＤ  ＳＨＡＲＩＮＧ  ＮＥＴＷＯＲＫ  ＰＥＲＦＯＲＭＡＮＣＥ  ＩＮＦＯＲＭＡＴＩＯＮ  （ＮＰＩ）」と題する米国仮特許出願第６１／４１３，３３５号の利益を主張する。本出願は、２０１１年３月８日に出願された「ＭＥＴＨＯＤ  ＡＮＤ  ＡＰＰＡＲＡＴＵＳ  ＦＯＲ  ＲＥＱＵＥＳＴＩＮＧ  ＡＮＤ  ＳＨＡＲＩＮＧ  ＮＥＴＷＯＲＫ  ＰＥＲＦＯＲＭＡＮＣＥ  ＩＮＦＯＲＭＡＴＩＯＮ  （ＮＰＩ）」と題する米国仮特許出願第６１／４５０，５２４号の利益を主張する。上述の出願の全体は参照により本明細書に組み込まれる。
【背景技術】
【０００２】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００３】
概して、ワイヤレス多元接続通信システムは、ユーザ機器（ＵＥ）、またはモバイルノード（ＭＮ）とも呼ばれる複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力または多入力多出力（ＭＩＭＯ）システムを介して確立され得る。
【０００４】
マクロネットワーク基地局とも呼ばれる従来のモバイル電話ネットワーク基地局を補うために、追加の基地局は、よりロバストなワイヤレスカバレージをモバイルで計画されたサービスエリアに供給するために展開され得る。たとえば、増分キャパシティの増大、よりリッチなユーザエクスペリエンス、および屋内カバレージのために、（たとえば、一般に、アクセスポイント基地局、ピコセル、ホームノードＢ（ＨＮＢ）、フェムトアクセスポイント、またはフェムトセルと呼ばれる）ワイヤレス中継局および小カバレージ基地局が展開され得る。一般に、そのような小カバレージ基地局は、ＤＳＬルータまたはケーブルモデムを介してインターネットおよびモバイル事業者のネットワークに接続される。これら他のタイプの基地局は、従来の基地局（たとえば、マクロ基地局）とは異なる形で従来のモバイル電話ネットワーク（たとえば、バックホール）に追加可能であるため、これら他のタイプの基地局と、その関連するユーザ装置とを管理するための効果的な技法の必要性が存在する。
【０００５】
多重無線端末に対して、ＩＰフローが利用可能な無線リソースにマッピングされ得ることが望ましい。ＩＰフローを最適化しようとする試みに対する１つの本質的な入力パラメータは、ネットワーク性能情報（ＮＰＩ：Network Performance Information）である。たとえば、ワイヤレスローカルエリアネットワーク（ＷＬＡＮ）インターフェースが輻輳しており、利用可能なセルラーインターフェースよりも悪く機能する場合、ワイヤレスローカルエリアネットワーク（ＷＬＡＮ）インターフェースに切り替えることは望ましくないであろう。ＮＰＩを発見することは、端末がＷＬＡＮインターフェースを介してトラフィックを送信または受信することによって、端末によって達成され得る。しかしながら、これらの動作の両方は、時間、電力およびネットワークリソースを消費する。その上、端末は、エボリューションデータ最適化システムまたは高速パケットアクセスシステムなど、スケジュールされたセルラーシステムの性能を確実に予測することはできず、したがって、特定のトラフィックモデルＡは、トラフィックモデルＢに対する性能を予測するために使用され得ない。したがって、端末が、他のノードからＮＰＩを直接取得し得ることが望ましい。
【発明の概要】
【０００６】
以下に、ネットワーク性能情報（ＮＰＩ）を要求し共有するための方法および装置に対する方法および装置の１つまたは複数の態様の簡素化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
様々な態様によれば、本発明は、ワイヤレス通信のための方法が、ネットワーク性能を判断することと、ＮＰＩをネットワークノードと共有することとを含むワイヤレス通信を提供する装置および方法に関し、ＮＰＩは、ネットワークノードがネットワーク上で利用可能な性能を判断するために必要な情報を備える。
【０００８】
別の態様では、ワイヤレス通信のための方法は、ネットワーク性能を管理するパラメータのセットを確定することと、パラメータのセットをネットワークノードと共有することとを含み、パラメータのセットは、ネットワークノードがその通信の性能をネットワークを介して計算するために必要な情報を備える。
【０００９】
さらに別の態様では、ネットワーク性能を判断するための手段と、ＮＰＩをネットワークノードと共有するための手段とを含む、ワイヤレス通信のための装置が提供され、ＮＰＩは、ネットワークノードがネットワーク上で利用可能な性能を判断するために必要な情報を備える。
【００１０】
さらに別の態様では、ネットワーク性能を管理するパラメータのセットを確定するための手段と、パラメータのセットをネットワークノードと共有するための手段とを含むワイヤレス通信のための装置が提供され、パラメータのセットは、ネットワークノードがその通信の性能をネットワークを介して計算するために必要な情報を備える。
【００１１】
さらに別の態様では、ネットワーク性能を判断し、ＮＰＩをネットワークノードと共有するために実行可能な命令を含む機械可読媒体を含む、ワイヤレス通信のためのコンピュータプログラム製品が提供され、ＮＰＩは、ネットワークノードがネットワーク上で利用可能な性能を判断するために必要な情報を備える。
【００１２】
さらに別の態様では、ネットワーク性能を管理するパラメータのセットを確定し、パラメータのセットをネットワークノードと共有するために実行可能な命令を含む機械可読媒体を含む、ワイヤレス通信のためのコンピュータプログラム製品が提供され、パラメータのセットは、ネットワークノードがその通信の性能をネットワークを介して計算するのに必要な情報を備える。
【００１３】
さらに別の態様では、ワイヤレス通信のための装置が提供され、この装置は、アンテナと、アンテナに結合されたプロセッサとを含み、プロセッサが、ネットワーク性能を判断し、ＮＰＩをネットワークノードと共有するように構成され、ＮＰＩが、ネットワークノードがネットワーク上で利用可能な性能を判断するために必要な情報を備える。
【００１４】
さらに別の態様では、ワイヤレス通信のための装置が提供され、この装置は、アンテナと、アンテナに結合されたプロセッサとを含み、プロセッサが、ネットワーク性能を管理するパラメータのセットを確定し、パラメータのセットをネットワークノードと共有するように構成され、パラメータのセットが、ネットワークノードがその通信の性能をネットワークを介して計算するために必要な情報を備える。
【００１５】
上記および関連する目的を達成するために、１つまたは複数の態様は、以下で十分に説明し、特に特許請求の範囲で指摘する特徴を備える。以下の説明および添付の図面は１つまたは複数の態様のうちのいくつかの例示的な態様を詳細に記載する。ただし、これらの態様は、様々な態様の原理を使用することができる様々な方法のほんのいくつかを示すものであり、説明する態様は、すべてのそのような態様およびそれらの均等物を含むものとする。
【００１６】
添付の図面とともに以下に説明する開示する態様は、開示する態様を限定するためではなく、開示する態様を例示するために与えられ、同様の表示は同様の要素を示す。
【図面の簡単な説明】
【００１７】
【図１】図１は、ネットワーク性能情報（ＮＰＩ）要求／共有の一態様が実装され得るネットワーク環境の一態様の概略図である。
【図２】図２は、図１のアクセスポイントノードの一態様の概略図である。
【図３】図３は、図１の端末ノードの一態様の概略図である。
【図４】図４は、ＮＰＩ要求／応答プロセスを示すメッセージ図である。
【図５】図５は、ＮＰＩブロードキャストプロセスのフロー図である。
【図６】図６は、図５のＮＰＩブロードキャストプロセスの中で使用される情報要素の図である。
【図７】図７は、ピアツーピアＮＰＩ共有プロセスのフロー図である。
【図８】図８は、処理システムを含む装置のブロック図である。
【発明を実施するための形態】
【００１８】
次に、図面を参照しながら様々な態様について説明する。以下の説明では、説明の目的のために、１つまたは複数の態様の完全な理解を与えるために多数の具体的な詳細を記載する。ただし、そのような（１つまたは複数の）態様は、これらの具体的な詳細なしに実施できることを理解されたい。
【００１９】
「例示的」という単語は、本明細書では「例、事例、または例示として提供すること」を意味するために使用される。本明細書で「例示的」と記載されたいかなる実施形態も、必ずしも他の実施形態よりも好ましいまたは有利であると解釈されるとは限らない。本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、広帯域ＣＤＭＡ（Ｗ−ＣＤＭＡ）と低チップレート（ＬＣＲ）とを含む。ｃｄｍａ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実施することができる。ＵＴＲＡ、Ｅ−ＵＴＲＡ、およびＧＳＭ（登録商標）は、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ（登録商標）、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。これらの様々な無線技術および規格は当技術分野で知られている。
【００２０】
いくつかの態様では、マクロスケールのカバレージ（たとえば、一般にマクロセルネットワークと呼ばれる、３Ｇネットワークなどの広域セルラーネットワーク）、およびより小さいスケールのカバレージ（たとえば、住居ベースまたは建築物ベースのネットワーク環境）を含むネットワーク中で、本明細書の教示は採用され得る。アクセス端末（「ＡＴ」）とも呼ばれるモバイルノードが、そのようなネットワーク中を移動するとき、モバイルノードは、あるロケーションでは、マクロカバレージを与えるアクセスノード（ノードＢまたは基地局とも互換的に呼ばれる「ＡＮ」）によってサービスされ、一方で、アクセス端末が、他のロケーションにおいて、より小さいスケールのカバレージを与えるアクセスノードによってサービスされることがある。いくつかの態様では、より小規模のカバレージノードは、（たとえば、よりロバストなユーザエクスペリエンスのために）増分キャパシティの増大と、屋内カバレージと、様々なサービスとを与えるために使用され得る。本明細書における議論では、比較的大きいエリアにわたるカバレージを提供するノードが、マクロノードまたはノードＢと呼ばれ得る。比較的小さいエリア（たとえば、居住地）にわたるカバレージを提供するノードが、フェムトノードまたはホームノードＢと呼ばれ得る。マクロノードまたはフェムトノードに関連するセルが、それぞれ、マクロセルまたはフェムトセル（femto cell）（または「フェムトセル（femtocell）」）と呼ばれ得る。いくつかの実装形態では、各セルは、さらに１つまたは複数のセクタに関連付けられ（たとえば、分割され）得る。
【００２１】
様々な適用例では、マクロノード、またはフェムトノードを指すために他の用語は使用されることがある。たとえば、マクロノードは、アクセスノード、基地局、アクセスポイント、ノードＢ、進化型ノードＢ（ｅＮｏｄｅ  Ｂ）、マクロセルなどとして構成されることも、そのように呼ばれることもある。また、フェムトノードは、ホームノードＢ、ホームｅノードＢ、アクセスポイント基地局、フェムトセル、フェムトアクセスポイントなどとして構成されること、または呼ばれることがある。
【００２２】
開示される方法の一態様が、多重無線端末に対する無線インターフェース選択を容易にするネットワーク性能情報（ＮＰＩ）を共有することに関する。別の態様は、多重無線端末に対する無線インターフェース選択を可能にするＮＰＩ要求に関する。さらに別の態様は、所与のスループットにおいて利用可能なビットレートヘッドルームまたは最大待ち時間など、所与のＩＰフローがそのフローに追加された場合、どのようなネットワーク性能を端末が経験するかを端末が発見することを可能にする、一般的な（generic）要求／応答メッセージ構成に関する。応答は、無線アクセスノードによって準備され、スケジューリングを考慮する。
【００２３】
本明細書でさらに説明するように、ＮＰＩは、以下の、
−バックホールまたは無線アクセスネットワーク（ＲＡＮ）、
−アップリンクまたはダウンリンク、および／または
−待ち時間、ビットレートまたはパケットロスレート
を含むパラメータのうちの１つまたは複数についての情報を包含し得る。
【００２４】
たとえば、特定のＮＰＩは、ＲＡＮ、ダウンリンクおよびビットレートについての情報を含み得る。一般に、ＮＰＩは、アクセス端末によって、またはアクセスノードによって推定され得る。ＮＰＩは、その無線インターフェースの適切なセットを効率よく使用するために、多重無線デバイスによって使用され得る。
【００２５】
図１は、限定と解釈されるべきではない例示的な一態様において、ＮＰＩ要求および共有手法が取られ得る通信システムを示し、１つまたは複数のノードがネットワーク環境１１０内で展開される。具体的には、ネットワーク１１０は、ＷＬＡＮノード１１２、および１つまたは複数のユーザ居住地内などの比較的小規模のネットワーク環境１１６内に設置されるフェムトノードもしくはＨＮＢ１１４など、複数のネットワークノードを含む。各ノード１１２および１１４は、１つまたは複数のＤＳＬルータ、ケーブルモデム、ワイヤレスリンク、または他の接続性機構（connectivity mechanism）を介することなどで、ワイドエリアネットワーク１１８（たとえば、インターネット）に結合されてよく、次には、モバイル事業者コアネットワーク１２０およびマクロセルアクセスノード１２２に通信可能にリンクされる。以下で論じるように、各ノード１１２および１１４は、関連するアクセス端末またはメンバーアクセス端末１２４、および場合によっては無関係のアクセス端末または非メンバーアクセス端末１２６など、１つまたは複数のアクセス端末をサービスするように構成され得る。言い換えれば、ノード１１２および１１４へのアクセスを制限し得、それによって、所与のアクセス端末１２４または１２６は、１つまたは複数の指定された（たとえば、ホーム）ノードによってサービスされることはあり得るが、指定されていない任意のノード（たとえば、ネイバーのノード）によってサービスされることはできない。
【００２６】
図２を参照すると、一態様では、フェムトまたはＷＬＡＮノードは、本明細書で説明する構成要素または機能のうちの１つまたは複数に関連する処理を遂行するためにプロセッサ５０を含むアクセスポイントノード１２として実装され得る。プロセッサ５０は、単一または複数の、プロセッサまたはマルチコアプロセッサのセットを含み得る。その上、プロセッサ５０は、統合処理システムおよび／または分散処理システムとして実装できる。
【００２７】
アクセスポイントノード１２は、プロセッサ５０によって実行されているアプリケーションのローカルバージョンを記憶するなどのために、メモリ５２をさらに含み得る。メモリ５２は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せのような、コンピュータが使用できる任意のタイプのメモリを含み得る。
【００２８】
さらに、アクセスポイントノード１２は、本明細書で説明するように、たとえば、ハードウェア、ソフトウェア、およびサービスを利用して、システム１０（図１）の１つまたは複数の他の構成要素との通信を確立し、維持することを行う通信構成要素５４を含み得る。通信構成要素５４は、アクセスポイントノード１２上の構成要素間、ならびにアクセスポイントノード１２と、通信ネットワーク上に位置するデバイスおよび／またはアクセスポイントノード１２に直列もしくはローカルに接続されたデバイスなどの外部デバイスとの間の通信を伝え得る。たとえば、通信コンポーネント５４は、１つまたは複数のバスを含んでよく、外部デバイスと対話するために動作可能な、１つもしくは複数の送信機および受信機、またはトランシーバをそれぞれ含む、送信チェーン構成要素と受信チェーン構成要素とをさらに含み得る。
【００２９】
さらに、アクセスポイントノード１２は、データストア５６をさらに含み得、データストア５６は、本明細書で説明する態様に関連して採用される情報、データベース、およびプログラムの大容量記憶を与えるハードウェアおよび／またはソフトウェアの任意の適切な組合せとすることができる。たとえば、データストア５６は、プロセッサ５０によって現在実行されていないアプリケーションのためのデータリポジトリであり得る。
【００３０】
アクセスポイントノード１２は、アクセスポイントノード１２のユーザから入力を受信するために動作可能であり、ユーザへの提示のための出力を生成するためにさらに動作可能な、ユーザインターフェース構成要素５８をさらに含み得る。ユーザインターフェース構成要素５８は、限定はしないが、キーボード、テンキー、マウス、タッチセンシティブディスプレイ、ナビゲーションキー、ファンクションキー、マイクロフォン、音声認識構成要素、ユーザから入力を受けることが可能な他の機構、またはそれらの任意の組合せを含む、１つまたは複数の入力デバイスを含むことができる。さらに、ユーザインターフェース構成要素５８は、限定はしないが、ディスプレイ、スピーカ、触覚フィードバック機構、プリンタ、出力をユーザに提示することが可能な他の機構、またはそれらの任意の組合せを含む、１つまたは複数の出力デバイスを含むことができる。
【００３１】
アクセスポイントノード１２は、本明細書でさらに説明されるＮＰＩモジュール６０をさらに含む。一般に、ＮＰＩモジュール６０は、ＮＰＩを取得して記憶するため、ならびに情報を要求する任意のノードとＮＰＩを共有するために、アクセスポイントノード１２によって使用される。
【００３２】
図３を参照すると、一態様では、アクセス端末は、本明細書で説明する構成要素または機能のうちの１つまたは複数に関連する処理を遂行するためにプロセッサ５１を含み得るアクセス端末ノード１６として実装され得る。プロセッサ５１は、単一または複数の、プロセッサまたはマルチコアプロセッサのセットを含み得る。その上、プロセッサ５１は、統合処理システムおよび／または分散処理システムとして実装できる。
【００３３】
アクセス端末ノード１６は、プロセッサ５１によって実行されているアプリケーションのローカルバージョンを記憶するなどのためのメモリ５３をさらに含み得る。メモリ５３は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せのような、コンピュータが使用できる任意のタイプのメモリを含み得る。
【００３４】
さらに、アクセス端末ノード１６は、本明細書で説明するように、たとえば、ハードウェア、ソフトウェア、およびサービスを利用して、システム１０の１つまたは複数の他の構成要素との通信を確立し、維持することを行う通信構成要素５５を含み得る。通信構成要素５５は、アクセス端末ノード１６上の構成要素間、ならびにアクセス端末ノード１６と、通信ネットワーク上に位置するデバイスおよび／あるいはアクセス端末ノード１６に直列またはローカルに接続されたデバイスなどの外部デバイスとの間の通信を伝え得る。たとえば、通信コンポーネント５５は、１つまたは複数のバスを含んでよく、外部デバイスと対話するために動作可能な、１つもしくは複数の送信機および受信機、または送受信機をそれぞれ含む、送信チェーンコンポーネントと受信チェーンコンポーネントとをさらに含み得る。
【００３５】
さらに、アクセス端末ノード１６は、データストア５７をさらに含み得、データストア５７は、本明細書で説明する態様に関連して採用される情報、データベース、およびプログラムの大容量記憶を与えるハードウェアおよび／またはソフトウェアの任意の適切な組合せとすることができる。たとえば、データストア５７は、プロセッサ５１によって現在実行されていないアプリケーションのためのデータリポジトリであり得る。
【００３６】
アクセス端末ノード１６は、アクセス端末ノード１６のユーザから入力を受信するために動作可能であり、ユーザへの提示のための出力を生成するためにさらに動作可能な、ユーザインターフェース構成要素５９をさらに含み得る。ユーザインターフェース構成要素５９は、限定はしないが、キーボード、テンキー、マウス、タッチセンシティブディスプレイ、ナビゲーションキー、ファンクションキー、マイクロフォン、音声認識構成要素、ユーザから入力を受けることが可能な他の機構、またはそれらの任意の組合せを含む、１つまたは複数の入力デバイスを含むことができる。さらに、ユーザインターフェース構成要素５９は、限定はしないが、ディスプレイ、スピーカ、触覚フィードバック機構、プリンタ、出力をユーザに提示することが可能な他の機構、またはそれらの任意の組合せを含む、１つまたは複数の出力デバイスを含むことができる。
【００３７】
本開示の一主題は、特定のフローが所与の端末の接続に追加された場合に、ＮＰＩを要求／表示する方法である。たとえば、端末が０、１、．．．、ｎの進行中のフローを有し、追加のフローｎ＋１が追加された場合にＮＰＩを要求するならば、ＲＡＮにおけるノードＢまたは中央制御装置が、ＮＰＩを予測して端末に応答することができる。さらに、端末は、すでにＡＰと関連付けられ得るが、進行中のフローを有し得ない。
【００３８】
スマートなインターフェース選択を実行するために、端末は、特別な無線インターフェースがいかにして追加のフローと作用するかを知る必要がある。たとえば、端末が、
−さらにどれだけのトラフィックに端末が適合し得るか（すなわち、残りのビットレート）、
−遅延がどれだけ影響を及ぼすか、
−パケットロスが発生するかどうか、または
−各端末に固有の他の情報、
を知ることが有用である。
【００３９】
一般に、より多くのＩＰフローがこの無線インターフェースに追加された場合、端末は、それがどのようにサービスされるかを確実に推定し得ない。たとえば、端末は、ＤＬ／ＵＬキューが完全でない間になされた観測に基づいて最大のＤＬ／ＵＬビットレートを推定し得ない。したがって、たとえば、端末は、チャットセッションに基づいてＦＴＰセッションのレートを推測することは不可能である。
【００４０】
より多くのＩＰフローが追加された場合、何が発生するかを端末が確実には推測できない理由は、
−スケジューラの挙動が未知であること（スケジューラは、プロファイル、消費されたデータ量、ローミングなどに基づいて様々に端末を処理する可能性があるなど）、
−端末は、他の局がどのようにスケジュールされているかを観測することは不可能である、
−端末は、他の局が完全なＤＬ／ＵＬキューを有するかどうかを知らない、
−端末は、どれだけ多くの他の局がサービスされているかを知り得ない、
−端末は、スペクトル利用率を確実に検出することは不可能である、
ことを含めて多くが存在する。
【００４１】
各端末は異なるネットワーク性能を経験し得るので、スケジュールされたシステムにおいて、コアネットワーク要素とともにスケジュールするエンティティは、一端末に対して利用可能な最大ネットワーク性能を予測し得る。一手法では、端末がそれ自体に対する最大のネットワーク性能について質問するメッセージが考慮される。代替として、メッセージは、新しいフローが追加された場合にネットワーク性能について質問するために使用され得る。ネットワークは、メッセージに対して、これらの無線状態においてこの特定の端末に対する最大のネットワーク性能を応答する。パラメータは、本明細書で説明するＮＰＩのいずれかを含み得る。
【００４２】
図４は、ＮＰＩ要求および応答メッセージシーケンス４００を示し、４０２で、端末はＮＰＩ要求をＲＡＮ要素に送信する。端末からのこの要求に基づいて、４０４で、無線アクセスネットワーク要素はまた、ＮＰＩ要求を４０６におけるコアネットワーク要素に送信する。４０６で、コアネットワーク要素は、セキュリティおよび他のポリシーと、加入情報と、用法／割当情報と、他の情報とを含む、端末に適用される情報を含んでよい加入者情報を含む。無線アクセスネットワーク要素は、無線リソース性能を含む、端末に適用される性能情報と、負荷と、他の情報とを含む。４０８で、コアネットワーク要素から受信される情報が、４１０における端末へのＮＰＩ応答を生成するために、無線アクセスネットワーク要素上の情報と組み合わされる。
【００４３】
本開示の一態様では、一ノードがＮＰＩを推定するために使用され得、通信プロトコルが、その情報を他のノードと交換するために使用される。正確なＮＰＩ推定は、ネットワークリソースまたは電力を消費する可能性がある。本明細書で説明する手法を用いて、正確な推定が、ネットワーク内の選択されたノードによってのみ実行され得る。他のノードは、すでにネットワークに接続されており、新しいＩＰフローを開始するか、または端末がすでに１つまたは複数の他のネットワーク／無線インターフェースを使用しているときにこのネットワーク／無線インターフェースの使用を開始する利益を評価する間のいずれかのときに、ＮＰＩを使用する。
【００４４】
一手法では、アクセスネットワーク機器が、ＮＰＩ推定を実行する。機器は、ＷＬＡＮアクセスポイント、フェムトボックス、ｅＮＢなどとすることができる。アクセスポイントは、関連するＮＰＩ推定を周期的にブロードキャストし得る。別の態様では、アクセスポイントは、関連するＮＰＩ推定をノードに直接送信し得る。アクセスポイントは、アクセスプローブに応答して情報を送信またはブロードキャストし得る。ＷＬＡＮでは、アクティブスキャンの方がパッシブスキャンよりも電力効率が高い。したがって、ネットワーク内のノードがネットワーク性能を推定し、通信プロトコルがこの情報の共有を可能にする。ネットワークにすでに接続されている局と、まだ接続されて（すなわち、関連付けられて）いない局の両方がこの情報を受信し得る。
【００４５】
以下の情報、
−アップリンクおよびダウンリンクに対するバックホール（たとえば、デジタル加入者回線（ＤＳＬ）／ケーブルリンク）上の現在の負荷（単位：ビット／秒）、
−アップリンクおよびダウンリンクに対するバックホールの総容量（単位：ビット／秒）、および
−アップリンクおよびダウンリンクに対するバックホール上の残りの容量（単位：ビット／秒）
が、アクセスポイントがＷＬＡＮ内でブロードキャストするために特に関連がある。
【００４６】
確定されたネットワーク性能はまた、ＤＳＬ、ケーブル、および他のモデムなど、非ワイヤレス技術を考慮する必要があり、ワイヤレスプロトコルに限定されない。たとえば、本手法は、アクセスポイントとケーブルモデムとが２つの異なるデバイスである状況において、アクセスポイントにケーブルモデムのリンク容量を知らせるために、ケーブルモデムとアクセスポイントとの間で使用される。バックホール情報は、適切なインターフェース選択のためにより良いサポートを提供するので、バックホール情報の利用可能性は、セルラーオフロードなどのアプリケーションにとって重要である。セルラーネットワークとＷＬＡＮネットワークとの間のＩＰフローの移動性をサポートするために、３ＧＰＰと３ＧＰＰ２とにおける顕著な努力がなされている。ＩＥＥＥ８０２．１１アクセスポイントは、数百メガビット／秒のオーダーのネットワークスループットを保証するが、制限されたバックホールである可能性がある。たとえば、ホームアクセスポイントに対するバックホールレートは１０メガビット／秒（Ｍｂｐｓ）に過ぎないことがあり、高度セルラー接続（advanced cellular connection）は１０Ｍｂｐｓ超を保証する。さらに、これらのバックホールは、複数のデバイスによって共有され得る。既存のネットワーク負荷インジケータは、このバックホール制限を考慮していない。したがって、既存の負荷インジケータに基づいて、インターフェース選択は、選択が不完全な情報に基づいているため、より低いスループットをもたらす可能性がある。
【００４７】
たとえば、バックホールが１０Ｍｂｐｓに過ぎない以前の場合を継続しているが、さらに、ＷＬＡＮ内に２５０Ｍｂｐｓのエアリンク容量が存在すると端末が推定するものと仮定する。推定されたセルラー容量が２０Ｍｂｐｓである場合、端末は、より高いリンク容量を選択するため、ＷＬＡＮインターフェースの使用を選択する。しかしながら、端末が経験する実際の容量は、バックホール帯域幅制限によって、１０Ｍｂｐｓ未満に制限される。したがって、端末は、インターフェース選択に対して媒体とバックホール負荷とを考慮することが必要であり、バックホール負荷情報のブロードキャストが、この努力に役立つ。
【００４８】
図５は、ＮＰＩ共有手法の一態様によって構成されたバックホール情報ブロードキャストプロセス５００を示し、５０２で、アクセスポイントは、上記で説明したバックホール容量など、バックホール情報を判断する。５０４で、アクセスポイントは、バックホール情報を情報要素の中に設定する。５０６で、情報要素は、これらの既存のフレーム、
−ＩＥＥＥ８０２．１１フレームフォーマット８．３．３．２で定義されるようなビーコンフレーム、
−ＩＥＥＥ８０２．１１フレームフォーマット８．３．３．１０で定義されるようなプローブ応答、または
−ＩＥＥＥ８０２．１１フレームフォーマット８．３．３．１３〜８．３．３．１４で定義されるようなアクションフレーム
のうちのいずれか１つの中に含まれてよい。
【００４９】
情報要素構造の別の態様では、新しいフレームフォーマットが、同様に使用され得る。５０８で、アクセスポイントは、情報要素をブロードキャストする。
【００５０】
図６は、ＮＰＩブロードキャストプロセス５００の中で使用され得る情報要素フレーム６００の図である。ＮＰＩブロードキャストプロセスの一態様では、情報要素６００は、要素ＩＤフィールド６０２と、長さフィールド６０４と、マルチユーザＭＩＭＯ（ＭＵ−ＭＩＭＯ）局カウントフィールド６０６と、利用中の空間ストリームフィールド（spatial streams under utilization field）６０８と、ビジー帯域幅ユーティリティフィールド６１０と、バックホールダウンリンク容量フィールド６１２と、バックホールアップリンク容量フィールド６１４とを備える。要素ＩＤフィールド６０２は、情報要素フレーム６００を一意に識別する。長さフィールド６０４は、情報要素フレーム６００の長さを表示する。ＭＵ−ＭＩＭＯ局カウントフィールド６０６は、関連付けられたＭＩＭＯ局の数を表示する。利用中の空間ストリームフィールド６０８は、利用されている空間ストリームの数を表示する。ビジー帯域幅ユーティリティフィールド６１０は、総トラフィック負荷のトランスポート内で使用される送信レートの部分を表示する。バックホールダウンリンク容量フィールド６１２は、ＷＬＡＮのダウンリンク容量についての情報を端末に提供し、バックホールアップリンク容量フィールド６１４は、ＷＬＡＮのアップリンク容量についての情報を端末に提供する。フィールドのそれぞれは一定のサイズであり、各フィールド名の下に数字で表示される。
【００５１】
ＵＭＴＳに関して、ＮＢがブロードキャストするために、以下の
−ＮＢ（Ｎ＿０）におけるノイズ指数、
−ＮＢにおける最大ＲｏＴ、
−どれだけのヘッドルームが残されているかである、ダウンリンク（たとえば、ＨＳ−ＰＤＳＣＨ）上の平均コード利用率、
−ダウンリンク（たとえば、ＨＳＤＰＡ）およびアップリンク（たとえば、ＨＳＵＰＡ）の搬送波の数、
−ダウンリンクとアップリンクとの両方に対して各搬送波上でサポートされる最大データレート（ＭＣＳ）
が、特に関連する可能性がある。
【００５２】
本開示の手法の一態様では、ＵＭＴＳに対するダウンリンクレート推定に対してデータベースは、ＭＰＯ、ＣＱＩ表とＵＥの有効数とを追跡して記憶する。最初の２つの量は、Ｃｅｌｌ＿ＤＣＨステートにおいて利用可能であり、最後の１つは、Ｃｅｌｌ＿ＤＣＨステートの中で推定される。ＵＭＴＳに対するダウンリンクレート推定に対する一手法では、ＵＥは、ＣＰＩＣＨチャネルを測定してＣＱＩを計算する。このことは、ＭＰＯに基づくことができる。ＣＱＩは最大スループットに対してマッピングされ、最大スループットは、一態様では、ＣＱＩ表に基づく。たとえば、チャネル品質情報は、データレートに対してマッピングするために使用される。最後に、利用可能なスループットが、ＵＥの最大スループット／有効数によって与えられる。
【００５３】
ＵＭＴＳに対するアップリンクレート推定のための一手法では、ＵＥは、そのローカルＮｏUEを推定し、ローカルＮｏUEからＵＥはノードＢ  ＮｏNode Bを推測する。推定は、数ｄＢ逸脱することがある。ＵＥは、ノードＢの一定のライズオーバサーマルのターゲット（ＲｏＴtarget：rise over thermal target）を仮定する。このパラメータは、ノードＢ実装形態に依存し、ベンダーごとに異なることがある。プロシージャは、ＩｏをＳＩＢから読み出すＵＥを伴うことがある。ＵＥは、使用されたＲｏＴused＝Ｉｏ／ＮｏNode Bを計算し、ここでＮｏNode BはノードＢにおけるノイズである。ＵＥは、利用可能なＲｏＴavail＝ＲｏＴtarget−ＲｏＴusedを計算し、ここでＲｏＴtargetはＵＥ自体のＮＰＩを計算するための、ＵＥに対するメトリックである。ＵＥは、制限されたＲｏＴpowerlimited＝Ｐmax−ＰＬ−Ｎｏ（すべての計算はｄＢで実行され得る）である電力ヘッドルームを計算し、ここでＰmaxは最大の送信電力であり、ＰＬは経路損失であり、Ｎｏは端末のノイズ指数である。最後に、本開示の一態様では、Ｒａｔｅ＝３．８４＊ｌｏｇ2（１＋ｍｉｎ（ＲｏＴavail、ＲｏＴpowerlimited））Ｍｂｐｓ。送信される情報は、実際のビットレート推定ではなく、ＵＥがビットレート推定を計算することを可能にする情報である。
【００５４】
別の手法では、ピアツーピアプロトコルが、ネットワークのメンバー間でＮＰＩを共有するために定義される。このシナリオでは、端末はすでにそのネットワークに接続されている。しかしながら、追加の送信／受信トラフィックを生じる、ＮＰＩに対するアクティブなプロービングの代わりに、端末は、そのピアからＮＰＩ推定値を取得する。図７は、ピアツーピアＮＰＩ共有プロセスを示す。ステップ７０２で、特定のローカルマルチキャストアドレスが、そのような目的に対して割り振られ得る。たとえば、リンクローカルマルチキャストアドレスが、ＮＰＩ共有のために専用されてよい。ステップ７０４で、端末は、「ＮＰＩ情報要求」をマルチキャストアドレスに送信する。次いで、ステップ７０６で、別の端末が応答し、その最新のＮＰＩ推定値を含める。
【００５５】
別の端末から直接ＮＰＩを要求することは、端末が単独で推定を実行するときよりも電力効率が高くなり得る。ＮＰＩを共有することはまた、各端末にそれ自体の推定を実行させることによる負荷を軽減する。性能情報は、「プロービングすること」なく利用可能になる。ＮＰＩはより速やかに利用可能であるので、ＮＰＩを有することは、端末が無線ネットワークインターフェースの選択を加速／最適化することを可能にし得る。別のソースからＮＰＩを取得することはまた、端末が単独で取得するよりも多い情報を端末に提供することができる。たとえば、ＷＬＡＮ  ＡＰは、バックホール往復時間（ＲＴＴ）を測定することができ、一方、局は、組み合わされたバックホールとＷＬＡＮ  ＲＴＴとを測定することだけができる。
【００５６】
一般に、端末は、フローＡの追加に対するスケジュールされたネットワークのネットワーク性能を、そのフローがサービスされる前のネットワークを観測することに基づいて予測することはできない。実際、セルラーシステムなど、たいていのスケジュールされたシステムにおいて、スケジューラは、ネットワークベンダーの実装形態に任されている。その上、端末は、コアネットワークレート制限を含めて、端末が気づかないポリシーの影響を受ける可能性がある。したがって、所与のフローが追加された場合にどのようなネットワーク性能が端末によって経験されるかを、端末がスケジューラに詳細に尋ねることを可能にする専用シグナリングは、本明細書において提案される。端末はまた、利用可能なビットレートヘッドルームについて情報を要求し得る。さらに、端末は、所与のスループットにおける最大の待ち時間を確定し得る。開示される方法は、新しいフローが特定の無線インターフェース上で適切にサービスされるかどうかを端末が確実に発見することを可能にする。さらに、開示される方法は、時間と電力とネットワークリソースとを浪費する、「サンプルデータ」または「プローブ」をその無線インターフェースを介して送信することなしに、端末が上記を発見することを可能にする。
【００５７】
開示される実施形態はまた、端末がＷＬＡＮ  ＮＰＩを検出する方法を説明する。本開示の一態様では、方法の第１のセットが、ＷＬＡＮトラフィックが端末によって現在トランスポートされていないときに使用される。方法の第２のセットが、進行中のＷＬＡＮトラフィックが存在するときに使用するように設計される。一般に、すべての動作／表記がアップリンクとダウンリンクの両方の動作に適用可能である。ダウンリンクの動作が例の中で使用されるが、それらの動作は、変数のしかるべき変更によって、アップリンクの動作に同等に適用可能である。
【００５８】
トラフィックがＷＬＡＮ上に端末によってトランスポートされていないが、何らかのトリガが存在して、ＷＬＡＮを探索するように端末を導き、少なくとも１つのＷＬＡＮが発見され、少なくとも１つの他のデータネットワークが利用可能であることが仮定される場合、端末は、その第１のフローを開始するためにこれらのネットワーク間で１つを選択しなければならない。探索は以前に生じた可能性があるが、開示する手法の一態様では、端末上のソケットが第１のパケットを送信するための呼を発した後で選択が発生するものと仮定する。したがって、ＷＬＡＮ性能の評価を実行するために利用可能な持続時間は短く、１秒のオーダーである可能性がある。別の手法では、発見されたＷＬＡＮの品質が、関連付けるための要求が後刻に到達するまで、周期的に監視される。周期的に監視することは最小量の電力を消費する。目標は、ダウンリンクとアップリンクとにおいて利用可能な推定スループットを送出することである。利用可能なスループットは、どのリンクがボトルネックであるか、またはボトルネックになるかによって決まり、したがって第１のステップは、潜在的なボトルネックを位置特定することである。
【００５９】
バックホールがボトルネックであるかどうかを判断するために、端末は、ネットワークトポロジーについての情報を必要とする可能性がある。以下の場合が考えられる：
１）ＷＬＡＮ局だけがバックホールに接続される（たとえば、ｅｎｔｅｒｐｒｉｓｅ  ＷＬＡＮまたはｐｕｒｅ  ＷＬＡＮホットスポット環境）か、
２）ＷＬＡＮ局およびＬＡＮ局がバックホールに接続される（たとえば、ホーム環境）か、または
３）ＷＬＡＮ、ＬＡＮおよびフェムトがバックホールに接続される。
【００６０】
場合１に関して、端末は、インターネットおよびローカルトラフィックの中のＷＬＡＮトラフィックを観察して分類することによってのみ、バックホール負荷を判断することができる。ここでは、端末は、インターネット／ローカル構成（Internet/local composition）を発見するためにＷＬＡＮを介するトラフィックを検知し得る。場合２では、端末は、少なくともどれだけのトラフィックがＬＡＮに宛てられているかを知る必要がある。場合３では、端末は、少なくともどれだけのトラフィックがＬＡＮとフェムトとに向かっているかを知る必要がある。
【００６１】
図８は、ワイヤレスノード中の処理システム８００のハードウェア構成の一例を示す。この例では、処理システム８００は、バス８０２によって概略的に表されるバスアーキテクチャを用いて実装され得る。バス８０２は、処理システム８００の特定の適用例および全体的な設計制約に応じて、任意の数の相互接続バスおよびブリッジを含み得る。そのバスは、プロセッサ８０４と、コンピュータ可読媒体８０６と、バスインターフェース８０８とを含む様々な回路を互いにリンクする。バスインターフェース８０８は、ネットワークアダプタ８１０を、特に、バス８０２を介して処理システム８００に接続するために使用され得る。ネットワークインターフェース８１０は、ＰＨＹレイヤの信号処理機能を実装するために使用され得る。ユーザインターフェース８１２（たとえば、キーパッド、ディスプレイ、マウス、ジョイスティックなど）は、バスインターフェース８０８を介してバスにも接続され得る。バス８０２は、タイミング源、周辺装置、電圧調整器、電力管理回路など、様々な他の回路をリンクさせることもできるが、これらの回路は当技術分野においてよく知られており、したがって、これ以上説明しない。
【００６２】
プロセッサ８０４は、コンピュータ可読媒体８０８に記憶されたソフトウェアの実行を含む、バスおよび一般的な処理を管理することを担当する。プロセッサ８０８は、１つまたは複数の汎用および／または専用プロセッサを用いて実装され得る。例は、マイクロプロセッサ、マイクロコントローラ、デジタル信号プロセッサ（ＤＳＰ：digital signal processor）、フィールドプログラマブルゲートアレイ（ＦＰＧＡ：field programmable gate array）、プログラマブル論理デバイス（ＰＬＤ：programmable logic device）、状態機械、ゲート論理、個別ハードウェア回路、および本開示全体にわたって説明する様々な機能を実施するように構成された他の好適なハードウェアを含む。
【００６３】
処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００６４】
図８に示すハードウェア実装では、コンピュータ可読媒体８０６は、プロセッサ８０４とは別個の、処理システム８００の一部として示されている。しかしながら、当業者なら容易に諒解するように、コンピュータ可読媒体８０６またはその任意の部分は処理システム８００の外部にあり得る。例として、コンピュータ可読媒体８０６は、すべてバスインターフェース８０８を介してプロセッサ８０４がアクセスし得る、伝送線路、データによって変調された搬送波、および／またはワイヤレスノードとは別個のコンピュータ製品を含み得る。代替的または追加的に、コンピュータ可読媒体８０４またはその任意の部分は、キャッシュおよび／または汎用レジスタファイルがそうであり得るようにプロセッサ８０４に統合され得る。
【００６５】
開示されるプロセスにおけるステップの特定の順序または階層は、例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【００６６】
情報および信号は様々な異なる技術および技法のいずれかを使用して表されることができることを、当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００６７】
さらに、本明細書で開示される実施形態に関して説明した様々な例示的な論理ブロック、モジュール、回路、およびアルゴリズムステップは、電子ハードウェア、コンピュータソフトウェア、または両方の組合せとして実装できることを当業者は諒解されよう。ハードウェアとソフトウェアのこの互換性を明確に示すために、様々な例示的な構成要素、ブロック、モジュール、回路、およびステップを、上記では概してそれらの機能に関して説明されている。そのような機能をハードウェアとして実装するか、ソフトウェアとして実装するかは、特定の適用例および全体的なシステムに課される設計制約に依存する。当業者は、記述される機能を特定の適用例ごとに様々な方法で実装することができるが、そのような実装の決定は、本開示の範囲からの逸脱を生じるものと解釈すべきではない。
【００６８】
本明細書で開示した実施形態に関して説明される様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明される機能を実行するように設計されたそれらの任意の組合せを用いて実装または実行され得る。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００６９】
１つまたは複数の例示的な実施形態では、説明される機能はハードウェア、ソフトウェア、ファームウェア、またはそれらの任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされることができる任意の利用可能な媒体でよい。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または命令もしくはデータ構造の形態の所望のプログラムコードを搬送もしくは記憶するために使用でき、コンピュータによってアクセスされることができる任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。
【００７０】
開示される実施形態の前述の説明は、当業者が本開示を実施または使用できるようにするために与えたものである。これらの実施形態への様々な修正は当業者には容易に明らかであり、本明細書で定義される一般原理は、本開示の趣旨または範囲から逸脱することなく他の実施形態に適用できる。したがって、本開示は、本明細書で示した実施形態に限定されるものではなく、本明細書で開示される原理および新規の特徴に一致する最も広い範囲を与られるべきである。
以下に本願出願当初の特許請求の範囲を付記する。
[Ｃ１]  通信のための方法であって、
複数のネットワーク間のネットワーク性能を判断することと、
ネットワーク性能情報（ＮＰＩ）をユーザ端末と共有することとを備え、
前記ＮＰＩが、前記複数のネットワークの各ネットワークを介して利用可能な前記性能を前記ユーザ端末が判断するために必要な情報を備える、方法。
[Ｃ２]  前記ＮＰＩが、前記複数のネットワークのうちの少なくとも１つのネットワーク上の通信リソースに対して、待ち時間情報、ビットレート情報、電流負荷情報、総容量情報、残余容量情報、またはパケットロスレート情報のうちの少なくとも１つを備える、Ｃ１に記載の方法。
[Ｃ３]  前記通信リソースがバックホールまたは無線アクセスネットワークのうちの少なくとも１つを備える、Ｃ２に記載の方法。
[Ｃ４]  ネットワーク性能を判断することが、ユーザ端末を介してネットワーク性能を判断することを備える、Ｃ１に記載の方法。
[Ｃ５]  ネットワーク性能を判断することが、アクセスポイントを介してネットワーク性能を判断することを備える、Ｃ１に記載の方法。
[Ｃ６]  前記ＮＰＩを前記共有することが、前記ＮＰＩをアクセスポイントにブロードキャストすることを備える、Ｃ１に記載の方法。
[Ｃ７]  前記アクセスポイントが前記ユーザ端末をカバーする、Ｃ６に記載の方法。
[Ｃ８]  前記ブロードキャストが所定の時間間隔で発生する、Ｃ６に記載の方法。
[Ｃ９]  前記ＮＰＩを前記共有することが、前記ＮＰＩを前記ユーザ端末に転送することを備える、Ｃ１に記載の方法。
[Ｃ１０]  前記ＮＰＩを前記共有することが、少なくとも２つのユーザ端末の間で前記ＮＰＩを共有することを備える、Ｃ１に記載の方法。
[Ｃ１１]  前記ＮＰＩを共有することが、
前記ユーザ端末から前記ＮＰＩを求める要求を受信することと、
前記要求からの応答として前記ＮＰＩを送信することとを備える、Ｃ１に記載の方法。
[Ｃ１２]  前記ＮＰＩを共有することが、
前記ＮＰＩに基づいて情報要素を生成することと、
前記情報要素をフレーム内に挿入することと、
前記フレームを送信することとを備える、Ｃ１に記載の方法。
[Ｃ１３]  ワイヤレス通信のための方法であって、
複数のネットワーク間のネットワーク性能を管理するパラメータのセットを確定することと、
パラメータの前記セットをネットワークノードと共有することとを備え、
パラメータの前記セットが、前記ネットワークノードが前記複数のネットワークの各ネットワークを介してその通信の前記性能を計算するために必要な情報を備える、方法。
[Ｃ１４]  前記ネットワークノードがユーザ端末を備える、Ｃ１３に記載の方法。
[Ｃ１５]  パラメータの前記セットが、
ノードＢにおけるノイズ指数か、
前記ノードＢにおけるターゲットのライズオーバサーマルか、
高速ダウンリンクパケットアクセスチャネル上のＯＶＳＦコードの平均使用か、
６４  ＱＡＭ変調が前記ノードＢにおいてサポートされるかどうかのインジケータか、
ＭＩＭＯが前記ノードＢにおいてサポートされるかどうかのインジケータか、
マルチキャリアが前記ノードＢにおいてサポートされるかどうかのインジケータか、
アップリンクおよびダウンリンクに対して前記ノードＢによってサポートされる最大トランスポートブロックサイズか、
拡張されたノードＢに対する平均時間／周波数リソース利用量か、または
前記拡張されたノードＢに対して送信間隔の時間中にそれが送信／受信できる最大のビット数のうちの１つを備える、Ｃ１３に記載の方法。
[Ｃ１６]  ワイヤレス通信のための装置であって、
複数のネットワーク間のネットワーク性能を判断するための手段と、
ネットワーク性能情報（ＮＰＩ）をユーザ端末と共有するための手段とを備え、
前記ＮＰＩが、前記複数のネットワークの各ネットワークを介して利用可能な前記性能を前記ユーザ端末が判断するために必要な情報を備える、装置。
[Ｃ１７]  前記ＮＰＩが、前記複数のネットワークのうちの少なくとも１つのネットワーク上の通信リソースに対して、待ち時間情報、ビットレート情報、電流負荷情報、総容量情報、残余容量情報、またはパケットロスレート情報のうちの少なくとも１つを備える、Ｃ１６に記載の装置。
[Ｃ１８]  前記通信リソースがバックホールまたは無線アクセスネットワークのうちの少なくとも１つを備える、Ｃ１７に記載の装置。
[Ｃ１９]  ネットワーク性能を判断するための前記手段が、ユーザ端末を介してネットワーク性能を判断することを備える、Ｃ１６に記載の装置。
[Ｃ２０]  ネットワーク性能を判断するための前記手段が、アクセスポイントを介してネットワーク性能を判断することを備える、Ｃ１６に記載の装置。
[Ｃ２１]  前記ＮＰＩを共有するための前記手段が、前記ＮＰＩをアクセスポイントにブロードキャストするための手段を備える、Ｃ１６に記載の装置。
[Ｃ２２]  前記アクセスポイントが前記ユーザ端末をカバーする、Ｃ２１に記載の装置。
[Ｃ２３]  前記ブロードキャストが所定の時間間隔で発生する、Ｃ２１に記載の装置。
[Ｃ２４]  前記ＮＰＩを共有するための前記手段が、前記ＮＰＩを前記ユーザ端末に転送するための手段を備える、Ｃ１６に記載の装置。
[Ｃ２５]  前記ＮＰＩを共有するための前記手段が、少なくとも２つのユーザ端末の間で前記ＮＰＩを共有することを備える、Ｃ１６に記載の装置。
[Ｃ２６]  前記ＮＰＩを共有するための前記手段が、
前記ユーザ端末から前記ＮＰＩを求める要求を受信するための手段と、
前記要求からの応答として前記ＮＰＩを送信するための手段とを備える、Ｃ１６に記載の装置。
[Ｃ２７]  前記ＮＰＩを共有するための前記手段が、
前記ＮＰＩに基づいて情報要素を生成するための手段と、
前記情報要素をフレーム内に挿入するための手段と、
前記フレームを送信するための手段とを備える、Ｃ１６に記載の装置。
[Ｃ２８]  ワイヤレス通信のための装置であって、
複数のネットワーク間のネットワーク性能を管理するパラメータのセットを確定するための手段と、
パラメータの前記セットをネットワークノードと共有するための手段とを備え、
パラメータの前記セットが、前記ネットワークノードが前記複数のネットワークの各ネットワークを介してその通信の前記性能を計算するために必要な情報を備える、装置。
[Ｃ２９]  前記ネットワークノードがユーザ端末を備える、Ｃ２８に記載の装置。
[Ｃ３０]  パラメータの前記セットが、
ノードＢにおけるノイズ指数か、
前記ノードＢにおけるターゲットのライズオーバサーマルか、
高速ダウンリンクパケットアクセスチャネル上のＯＶＳＦコードの平均使用か、
６４  ＱＡＭ変調が前記ノードＢにおいてサポートされるかどうかのインジケータか、
ＭＩＭＯが前記ノードＢにおいてサポートされるかどうかのインジケータか、
マルチキャリアが前記ノードＢにおいてサポートされるかどうかのインジケータか、
アップリンクおよびダウンリンクに対して前記ノードＢによってサポートされる最大トランスポートブロックサイズか、
拡張されたノードＢに対する平均時間／周波数リソース利用量か、または
前記拡張されたノードＢに対して送信間隔の時間中にそれが送信／受信できる最大のビット数のうちの１つを備える、Ｃ２８に記載の装置。
[Ｃ３１]  ワイヤレス通信のためのコンピュータプログラム製品であって、
複数のネットワーク間のネットワーク性能を判断することと、
ネットワーク性能情報（ＮＰＩ）をユーザ端末と共有することとが実行可能な命令を備える機械可読媒体を備え、
前記ＮＰＩが、前記複数のネットワークの各ネットワークを介して利用可能な前記性能を前記ユーザ端末が判断するために必要な情報を備える、コンピュータプログラム製品。
[Ｃ３２]  前記ＮＰＩが、前記複数のネットワークのうちの少なくとも１つのネットワーク上の通信リソースに対して、待ち時間情報、ビットレート情報、電流負荷情報、総容量情報、残余容量情報、またはパケットロスレート情報のうちの少なくとも１つを備える、Ｃ３１に記載のコンピュータプログラム製品。
[Ｃ３３]  前記通信リソースがバックホールまたは無線アクセスネットワークのうちの少なくとも１つを備える、Ｃ３２に記載のコンピュータプログラム製品。
[Ｃ３４]  ＮＰＩを判断することが実行可能な前記命令が、ユーザ端末を介してＮＰＩを判断することが実行可能な命令を備える、Ｃ３１に記載のコンピュータプログラム製品。
[Ｃ３５]  ＮＰＩを判断することが実行可能な前記命令が、アクセスノードを介してＮＰＩを判断することが実行可能な命令を備える、Ｃ３１に記載のコンピュータプログラム製品。
[Ｃ３６]  前記機械可読媒体が、前記ＮＰＩを前記アクセスポイントにブロードキャストすることが実行可能な命令をさらに備える、Ｃ３１に記載のコンピュータプログラム製品。
[Ｃ３７]  前記アクセスポイントが前記ユーザ端末をカバーする、Ｃ３６に記載のコンピュータプログラム製品。
[Ｃ３８]  前記ブロードキャストが所定の時間間隔で発生する、Ｃ３６に記載のコンピュータプログラム製品。
[Ｃ３９]  前記機械可読媒体が、前記ＮＰＩを前記ユーザ端末に転送することが実行可能な命令をさらに備える、Ｃ３１に記載のコンピュータプログラム製品。
[Ｃ４０]  前記機械可読媒体が、前記ＮＰＩを少なくとも２つのユーザ端末の間で共有することが実行可能な命令をさらに備える、Ｃ３１に記載のコンピュータプログラム製品。
[Ｃ４１]  前記ＮＰＩの共有に対して実行可能な前記命令が、
前記ユーザ端末から前記ＮＰＩを求める要求を受信することと、
前記要求からの応答として前記ＮＰＩを送信することと、が実行可能な命令を備える、Ｃ３１に記載のコンピュータプログラム製品。
[Ｃ４２]  前記ＮＰＩの共有に対して実行可能な前記命令が、
前記ＮＰＩに基づいて情報要素を生成することと、
前記情報要素をフレーム内に挿入することと、
前記フレームを送信することと、が実行可能な命令を備える、Ｃ３１に記載のコンピュータプログラム製品。
[Ｃ４３]  ワイヤレス通信のためのコンピュータプログラム製品であって、
複数のネットワーク間のネットワーク性能を管理するパラメータのセットを確定することと、
パラメータの前記セットをネットワークノードと共有することとが実行可能な命令を備える機械可読媒体を備え、
パラメータの前記セットが、前記ネットワークノードが前記複数のネットワークの各ネットワークを介してその通信の前記性能を計算するために必要な情報を備える、コンピュータプログラム製品。
[Ｃ４４]  前記ネットワークノードがユーザ端末を備える、Ｃ４３に記載のコンピュータプログラム製品。
[Ｃ４５]  パラメータの前記セットが、
ノードＢにおけるノイズ指数か、
前記ノードＢにおけるターゲットのライズオーバサーマルか、
高速ダウンリンクパケットアクセスチャネル上のＯＶＳＦコードの平均使用か、
６４  ＱＡＭ変調が前記ノードＢにおいてサポートされるかどうかのインジケータか、
ＭＩＭＯが前記ノードＢにおいてサポートされるかどうかのインジケータか、
マルチキャリアが前記ノードＢにおいてサポートされるかどうかのインジケータか、
アップリンクおよびダウンリンクに対して前記ノードＢによってサポートされる最大トランスポートブロックサイズか、
拡張されたノードＢに対する平均時間／周波数リソース利用量か、または
前記拡張されたノードＢに対して送信間隔の時間中にそれが送信／受信できる最大のビット数のうちの１つを備える、Ｃ４３に記載のコンピュータプログラム製品。
[Ｃ４６]  ワイヤレス通信のための装置であって、
アンテナと、
前記アンテナに結合されたプロセッサとを備え、前記プロセッサが、
複数のネットワーク間のネットワーク性能を判断し、
ネットワーク性能情報（ＮＰＩ）をユーザ端末と共有するように構成され、
前記ＮＰＩが、前記複数のネットワークの各ネットワークを介して利用可能な前記性能を前記ユーザ端末が判断するために必要な情報を備える、装置。
[Ｃ４７]  前記ＮＰＩが、前記複数のネットワークのうちの少なくとも１つのネットワーク上の通信リソースに対して、待ち時間情報、ビットレート情報、電流負荷情報、総容量情報、残余容量情報、またはパケットロスレート情報のうちの少なくとも１つを備える、Ｃ４６に記載の装置。
[Ｃ４８]  前記通信リソースがバックホールまたは無線アクセスネットワークのうちの少なくとも１つを備える、Ｃ４７に記載の装置。
[Ｃ４９]  前記プロセッサが、ユーザ端末を介してネットワーク性能を判断するようにさらに構成される、Ｃ４６に記載の装置。
[Ｃ５０]  前記プロセッサが、アクセスノードを介してネットワーク性能を判断するようにさらに構成される、Ｃ４６に記載の装置。
[Ｃ５１]  前記プロセッサが、前記ＮＰＩを前記アクセスポイントにブロードキャストするようにさらに構成される、Ｃ４６に記載の装置。
[Ｃ５２]  前記アクセスポイントが前記ユーザ端末をカバーする、Ｃ５１に記載の装置。
[Ｃ５３]  前記ブロードキャストが所定の時間間隔で発生する、Ｃ５１に記載の装置。
[Ｃ５４]  前記機械可読媒体が、前記ＮＰＩを前記ユーザ端末に転送することが実行可能な命令をさらに備える、Ｃ４６に記載の装置。
[Ｃ５５]  前記プロセッサが、少なくとも２つのユーザ端末の間で前記ＮＰＩを共有するようにさらに構成される、Ｃ４６に記載の装置。
[Ｃ５６]  前記プロセッサが、
前記ユーザ端末から前記ＮＰＩを求める要求を受信し、
前記要求からの応答として前記ＮＰＩを送信するようにさらに構成される、Ｃ４６に記載の装置。
[Ｃ５７]  プロセッサが、
前記ＮＰＩに基づいて情報要素を生成し、
前記情報要素をフレーム内に挿入し、
前記フレームを送信するようにさらに構成される、Ｃ４６に記載の装置。
[Ｃ５８]  ワイヤレス通信のための装置であって、
アンテナと、
前記アンテナに結合されたプロセッサとを備え、前記プロセッサが、
複数のネットワーク間のネットワーク性能を管理するパラメータのセットを確定し、
パラメータの前記セットをネットワークノードと共有するように構成され、
パラメータの前記セットが、前記ネットワークノードが前記複数のネットワークの各ネットワークを介してその通信の前記性能を計算するために必要な情報を備える、装置。
[Ｃ５９]  前記ネットワークノードがユーザ端末を備える、Ｃ５８に記載の装置。
[Ｃ６０]  パラメータの前記セットが、
ノードＢにおけるノイズ指数か、
前記ノードＢにおけるターゲットのライズオーバサーマルか、
高速ダウンリンクパケットアクセスチャネル上のＯＶＳＦコードの平均使用か、
６４  ＱＡＭ変調が前記ノードＢにおいてサポートされるかどうかのインジケータか、
ＭＩＭＯが前記ノードＢにおいてサポートされるかどうかのインジケータか、
マルチキャリアが前記ノードＢにおいてサポートされるかどうかのインジケータか、
アップリンクおよびダウンリンクに対して前記ノードＢによってサポートされる最大トランスポートブロックサイズか、
拡張されたノードＢに対する平均時間／周波数リソース利用量か、または
前記拡張されたノードＢに対して送信間隔の時間中にそれが送信／受信できる最大のビット数のうちの１つを備える、Ｃ５８に記載の装置。
【図１】
0005770301.tif 000002
【図２】
0005770301.tif 000003
【図３】
0005770301.tif 000004
【図４】
0005770301.tif 000005
【図５】
0005770301.tif 000006
【図６】
0005770301.tif 000007
【図７】
0005770301.tif 000008
【図８】
0005770301.tif 000009